(57)【要約】【課題】伝送前の、データの圧縮処理を簡単にする。【解決手段】シリアルインタフェース４３，１９が使用される場合、ＣＰＵ３１は、最初に、６４０×４８０画素の画像のＪＰＥＧデータをデコードさせた後、６４０×４８０画素の画像を、水平方向の画素数が８の倍数である、８０×６０画素の縮小画像に変換する。さらに、ＣＰＵ３１は、そのデータに４ライン分のダミーデータを加えた８０×６４画素のデータを生成する。そして、ＪＰＥＧエンコーダおよびデコーダ４１は、その８０×６４画素のデータを圧縮し、ＣＰＵ３１は、圧縮したＪＰＥＧデータを、シリアルインタフェース４３を介してコンピュータ１に出力する。そして、コンピュータ１のＣＰＵ１１は、そのデータをデコードした後、１０６×８０画素のサムネイル画像に変換し、ディスプレイ３に表示させる。【選択図】図１
2007195205.tif 000002
【特許請求の範囲】
【請求項１】
所定の画像データを保持する第１の情報処理装置と、所定のインタフェースを介して前記第１の情報処理装置に接続され、前記画像データに対応する画像を表示する第２の情報処理装置とを備える情報処理システムで、
前記第１の情報処理装置は、
所定の画像データを保持する保持手段と、
前記保持手段に保持された前記所定の画像データから、N×N画素領域ごとに圧縮処理を施す所定の圧縮方式に適した縮小画像データであって、少なくとも１辺の画素数がNの倍数である画像を縮小画像とする縮小画像データを生成する生成手段と、
前記生成手段により生成された前記縮小画像データを前記所定の方式で圧縮する圧縮手
段とを備え、
前記第２の情報処理装置は、前記伝送手段を介して伝送される前記圧縮された画像データを伸張する伸張手段を備える
ことを特徴とする情報処理システム。
【請求項２】
前記インタフェースは、シリアルインタフェースである
ことを特徴とする請求項１に記載の情報処理システム。
【請求項３】
前記第２の情報処理装置は、伸張したデータを、所定の画素数の画像データに変換する
ことを特徴とする請求項１または請求項２に記載の情報処理システム。
【請求項４】
所定の画像データを保持する保持手段と、
前記保持手段に保持された前記所定の画像データから、N×N画素領域ごとに圧縮処理を施す所定の圧縮方式に適した縮小画像データであって、少なくとも１辺の画素数がNの倍数である画像を縮小画像とする縮小画像データを生成する生成手段と、
前記生成手段により生成された前記縮小画像データを前記所定の方式で圧縮する圧縮手段と、
他の情報処理装置にデータを伝送するインタフェースと、
前記圧縮手段により圧縮された前記縮小画像データを前記インタフェースを介して前記他の情報処理装置に伝送する伝送手段と
を備えることを特徴とする情報処理装置。
【請求項５】
前記所定の方式で圧縮された画像データを伸張する伸張手段をさらに備え、
前記所定の画像データは、前記所定の圧縮方式で圧縮された画像データであり、
前記生成手段は、前記伸張手段により伸張された画像データから縮小画像データを生成する
ことを特徴とする請求項４に記載の情報処理装置。
【請求項６】
被写体の画像を撮像する撮像手段をさらに備え、
前記保持手段により保持される前記所定の画像データは、前記撮像手段により撮像された画像の画像データである
ことを特徴とする請求項４に記載の情報処理装置。
【請求項７】
前記生成手段は、
圧縮処理に適した画素数に縮小できない場合には、ダミーデータを付加して圧縮処理に適した画素数にする
ことを特徴とする請求項４に記載の情報処理装置。
【請求項８】
前記ダミーデータは、圧縮、伸張により前記画像データに悪影響を与えることのないデータである
ことを特徴とする請求項７に記載の情報処理装置。
【請求項９】
前記ダミーデータは、N×Nの画素数に満たない画像領域に付加されるデータである
ことを特徴とする請求項７に記載の情報処理装置。
【請求項１０】
前記ダミーデータは、中間グレーデータである
ことを特徴とする請求項７に記載の情報処理装置。
【請求項１１】
前記ダミーデータは、前記所定の画素数に満たない画像データの平
均値データである
ことを特徴とする請求項９に記載の情報処理装置。
【請求項１２】
前記ダミーデータは、前記所定の画素数に満たない画像データのコピーデータである
ことを特徴とする請求項９に記載の情報処理装置。
【請求項１３】
前記圧縮方式はＪＰＥＧ方式であり、圧縮処理に適した画素数とは（８の倍数）×（８の倍数）である
ことを特徴とする請求項４に記載の情報処理装置。
【請求項１４】
所定の画像データを保持する保持手段と、前記保持手段に保持された前記所定の画像データから、N×N画素領域ごとに圧縮処理を施す所定の圧縮方式に適した縮小画像データであって、少なくとも１辺の画素数がNの倍数である画像を縮小画像とする縮小画像データを生成する生成手段と、前記生成手段により生成された前記縮小画像データを前記所定の方式で圧縮する圧縮手段と、他の情報処理装置にデータを伝送するインタフェースと、前記圧縮手段により圧縮された前記縮小画像データを前記インタフェースを介して前記他の情報処理装置に伝送する伝送手段とを備える情報処理装置の情報処理方法であって、
所定の画像データを保持し、
前記保持された前記所定の画像データから、N×N画素領域ごとに圧縮処理を施す所定の圧縮方式に適した縮小画像データであって、少なくとも１辺の画素数がNの倍数である画像を縮小画像とする縮小画像データを生成し、
前記生成された前記縮小画像データを前記所定の方式で圧縮し、
前記圧縮された前記縮小画像データを前記インタフェースを介して前記他の情報処理装置に伝送する
ことを特徴とする情報処理方法。
【請求項１５】
所定の画像データを保持する保持手段と、前記保持手段に保持された前記所定の画像データから、N×N画素領域ごとに圧縮処理を施す所定の圧縮方式に適した縮小画像データであって、少なくとも１辺の画素数がNの倍数である画像を縮小画像とする縮小画像データを生成する生成手段と、前記生成手段により生成された前記縮小画像データを前記所定の方式で圧縮する圧縮手段と、他の情報処理装置にデータを伝送するインタフェースと、前記圧縮手段により圧縮された前記縮小画像データを前記インタフェースを介して前記他の情報処理装置に伝送する伝送手段とを備える情報処理装置で使用される制御プログラムを記憶した記憶媒体であって、
所定の画像データを保持し、
前記保持された前記所定の画像データから、N×N画素領域ごとに圧縮処理を施す所定の圧縮方式に適した縮小画像データであって、少なくとも１辺の画素数がNの倍数である画像を縮小画像とする縮小画像データを生成し、
前記生成された前記縮小画像データを前記所定の方式で圧縮し、
前記圧縮された前記縮小画像データを前記インタフェースを介して前記他の情報処理装置に伝送する制御プログラムを記憶した記憶媒体。
【発明の詳細な説明】
【技術分野】
【０００１】
本発明は、情報処理システム、情報処理装置、情報処理方法、および、記憶媒体に関し、特に、画像データを圧縮し、圧縮した画像データを伝送するための情報処理システム、情報処理装置、情報処理方法、および、記憶媒体に関する。
【背景技術】
【０００２】
半導体技術の進歩に伴い、画像や音声をデジタルデータとして記録する電子カメラ、電子手帳などの記録装置が普及しつつある。
【０００３】
記録装置のうち、所定のインタフェース回路を内蔵しているものは、所謂パーソナルコンピュータに接続され、記録した画像や音声などのデータを出力するようになされている。
【０００４】
このような記録装置が、コンピュータに画像データを伝送する場合、例えばＪＰＥＧ（Joint Photographic Experts Group）方式で圧縮された画像データが伝送されることが多い。
【０００５】
また、伝送するデータ量を少なくする場合、伝送する画像データの画素数を少なくして、画像を縮小することが考えられる。
【発明の開示】
【発明が解決しようとする課題】
【０００６】
ところで、シリアルインタフェースなどを用いた場合には、転送速度が遅いので、縮小された画像であっても、さらにデータ量を減らして転送することが望まれる。そのために、縮小画像を圧縮することが考えられる。
【０００７】
しかしながら、ＪＰＥＧ方式の圧縮処理においては、８×８画素の領域ごとに圧縮の処理が行われるので、圧縮する画像の各辺の画素数が、８の倍数であることが好ましく、画像データを縮小した後にＪＰＥＧ方式で圧縮する場合、縮小後の画像の画素数によっては、圧縮処理のために画像の各辺の画素数を調整する必要があり、データ量を少なくする処理が煩雑であるという問題を有している。
【０００８】
本発明は、このような状況に鑑みてなされたもので、画像を縮小するとき、例えば縮小後の画像の少なくとも１辺に対応する画素数を８の倍数に設定することにより、ＪＰＥＧ方式による圧縮を利用してデータ量を少なくする処理を簡単にするものである。
【課題を解決するための手段】
【０００９】
請求項１に記載の情報処理システムは、所定の画像データを保持する保持手段と、保持手段に保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成する生成手段と、生成手段により生成された縮小画像データを所定の方式で圧縮する圧縮手段とを備える第１の情報処理装置と、伝送手段を介して伝送される圧縮された画像データを伸張する伸張手段を備える第２の情報処理装置とを有することを特徴とする。
【００１０】
請求項４に記載の情報処理装置は、所定の画像データを保持する保持手段と、保持手段に保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成する生成手段と、生成手段により生成された縮小画像データを所定の方式で圧縮する圧縮手段と、他の情報処理装置にデータを伝送するインタフェースと、圧縮手段により圧縮された縮小画像データをインタフェースを介して他の情報処理装置に伝送する伝送手段とを備えることを特徴とする。
【００１１】
請求項１４に記載の情報処理方法は、所定の画像データを保持し、保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成し、生成された縮小画像データを所定の方式で圧縮し、圧縮された縮小画像データをインタフェースを介して他の情報処理装置に伝送することを特徴とする。
【００１２】
請求項１５に記載の記憶媒体は、所定の画像データを保持し、保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成し、生成された縮小画像データを所定の方式で圧縮し、圧縮された縮小画像データをインタフェースを介して他の情報処理装置に伝送する制御プログラムを記憶した記憶媒体である。
【００１３】
請求項１に記載の情報処理システムにおいては、第１の情報処理装置の生成手段は、N×N画素領域ごとに圧縮処理を施す所定の圧縮方式に適した縮小画像データであって、少なくとも１辺の画素数がNの倍数である画像を縮小画像とする縮小画像データを生成し、第１の情報処理装置の圧縮手段は、生成手段により生成された縮小画像データを所定の圧縮方式で圧縮し、第１の情報処理装置の伝送手段は、圧縮された画像データをインタフェースを介して第２の情報処理装置に伝送する。そして、第２の情報処理装置の伸張手段は、伝送手段を介して伝送される圧縮された画像データを伸張する。
【００１４】
請求項４に記載の情報処理装置においては、生成手段は、所定の画像データを、N×N画素領域ごとに圧縮処理を施す所定の圧縮方式に適した縮小画像データであって、少なくとも１辺の画素数がNの倍数である画像を縮小画像とする縮小画像データを生成し、圧縮手段は、生成手段により生成された縮小画像データを所定の圧縮方式で圧縮し、伝送手段は、圧縮された画像データをインタフェースを介して他の情報処理装置に伝送する。
【００１５】
請求項１４に記載の情報処理方法においては、所定の画像データを保持し、保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成し、生成された縮小画像データを所定の方式で圧縮し、圧縮された縮小画像データをインタフェースを介して他の情報処理装置に伝送する。
【００１６】
請求項１５に記載の記憶媒体においては、所定の画像データを保持し、保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成し、生成された縮小画像データを所定の方式で圧縮し、圧縮された縮小画像データをインタフェースを介して他の情報処理装置に伝送する制御プログラムが記憶されている。
【発明の効果】
【００１７】
請求項１に記載の情報処理システムにおいては、請求項１に記載の情報処理システムにおいては、第１の情報処理装置において、生成手段が、N×N画素領域ごとに圧縮処理を施す所定の圧縮方式に適した縮小画像データであって、少なくとも１辺の画素数がNの倍数である画像を縮小画像とする縮小画像データを生成し、圧縮手段が、生成手段により生成された縮小画像データを所定の圧縮方式で圧縮し、伝送手段が、圧縮された画像データをインタフェースを介して第２の情報処理装置に伝送し、第２の情報処理装置において、伸張手段が、伝送手段を介して伝送される圧縮された画像データを伸張するようにしたので、伝送前に行うデータの圧縮処理を簡単にすることができる。
【００１８】
請求項４に記載の情報処理装置および請求項１４に記載の情報処理方法によれば、所定の画像データを保持し、保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成し、生成された縮小画像データを所定の方式で圧縮し、圧縮された縮小画像データをインタフェースを介して他の情報処理装置に伝送するようにしたので、伝送前に行うデータの圧縮処理を簡単にすることができる。
【００１９】
請求項１５に記載の記憶媒体によれば、所定の画像データを保持し、保持された所定の画像データから、N×N画素領域ごとに圧縮処理を施す所定の圧縮方式に適した縮小画像データであって、少なくとも１辺の画素数がNの倍数である画像を縮小画像とする縮小画像データを生成し、生成された縮小画像データを所定の方式で圧縮し、圧縮された縮小画像データをインタフェースを介して他の情報処理装置に伝送する制御プログラムが記憶されているので、この制御プログラムに従って処理を行うことにより、圧縮処理に適した画素数で画像データの圧縮を行うことができる。
【発明を実施するための最良の形態】
【００２０】
図１は、本発明の情報処理システムの実施の形態の構成を示している。この情報処理システムにおいては、高速であるＳＣＳＩインタフェース１８，４２、および、低速であるシリアルインタフェース１９，４３の少なくとも一方を介して、コンピュータ１と電子カメラ２が接続されている。
【００２１】
コンピュータ１においては、ＣＰＵ１１（伸張手段）は、ＲＯＭやＲＡＭなどで構成されているメモリ１２またはハードディスク１４に保持されているプログラムに従って動作し、各種処理を行うようになされている。
【００２２】
メモリ１２は、そのＲＡＭ部で、プログラムや、処理途中のデータを一時的に記憶する他、ＲＯＭ部で、所定の動作を行うプログラムやデータを保持している。ＶＲＡＭ１３は、ディスプレイ３の各画素に対応する記憶領域を有しており、その記憶領域の値をディスプレイ３に出力するようになされている。
【００２３】
ハードディスク１４は、各種プログラムやデータを保持しており、例えば、後述の動作を記述したプログラムを保持している。
【００２４】
Ｄ／Ａ変換器１５は、ＣＰＵ１１より供給された音声データを、アナログ音声信号に変換し、スピーカ１６に出力するようになされている。
【００２５】
インタフェース１７は、キーボード４、マウス５などに接続され、それらの装置からの信号をＣＰＵ１１に供給するようになされている。
【００２６】
ＳＣＳＩインタフェース１８は、ＳＣＳＩ（Small Computer System Interface）の規格に従って、データの送受信を行うようになされている。
【００２７】
シリアルインタフェース１９は、例えばＲＳ−２３２Ｃ規格に従って、データの送受信を行うようになされている。
【００２８】
電子カメラ２においては、ＣＰＵ３１（縮小手段、伝送手段、ダミーデータ付加手段）は、ＲＯＭ、ＲＡＭ、フラッシュメモリなどで構成されているメモリ３２に保持されているプログラムに従って動作し、各種処理を行うようになされている。
【００２９】
メモリ３２は、そのＲＡＭ部で、プログラムや、処理途中のデータを一時的に記憶する他、ＲＯＭ部で、所定の動作を行うプログラムやデータを保持し、フラッシュメモリ部で、記録した画像データや音声データを保持している。
【００３０】
マイクロホン３３は、音声をアナログの音声信号に変換し、その信号をＡ／Ｄ変換器３４に出力するようになされている。
【００３１】
Ａ／Ｄ変換器３４は、供給されたアナログ音声信号を、デジタル音声信号に変換し、その信号をＡＤＰＣＭエンコーダおよびデコーダ３５に出力するようになされている。
【００３２】
ＡＤＰＣＭエンコーダおよびデコーダ３５は、デジタル音声信号を、ＡＤＰＣＭ方式に従って圧縮する他、ＡＤＰＣＭ方式で圧縮されているデータを、デジタル音声信号に変換（解凍）するようになされている。
【００３３】
Ｄ／Ａ変換器３６は、ＡＤＰＣＭエンコーダおよびデコーダ３５より供給されたデジタル音声信号をアナログ音声信号に変換し、スピーカ３７に出力するようになされている。
【００３４】
レンズ３８は、被写体からの光をＣＣＤ３９に集光するようになされている。
【００３５】
ＣＣＤ３９は、被写体からの光を光電変換し、被写体の画像に対応するアナログ画像信号をＡ／Ｄ変換器４０に出力するようになされている。
【００３６】
Ａ／Ｄ変換器４０は、アナログ画像信号を、デジタル画像信号に変換し、その信号を、ＪＰＥＧエンコーダおよびデコーダ４１（圧縮手段）に出力するようになされている。
【００３７】
ＪＰＥＧエンコーダおよびデコーダ４１は、供給されたデジタル画像信号を、ＪＰＥＧ方式に従って圧縮し、圧縮したデータ（ＪＰＥＧデータ）をＣＰＵ３１に出力するとともに、所定のＪＰＥＧデータを元のデジタル画像信号に伸張するようになされている。
【００３８】
ＳＣＳＩインタフェース４２は、ＳＣＳＩ規格に従って、データの送受信を行うようになされている。
【００３９】
シリアルインタフェース４３は、例えばＲＳ−２３２Ｃ規格に従って、データの送受信を行うようになされている。
【００４０】
次に、図２のフローチャートを参照して、例えば電子カメラ２に保存されている画像の一覧表示を行う場合において、電子カメラ２に保存されている画像の縮小画像（サムネイル画像）をディスプレイ３に表示させるときの動作について説明する。
【００４１】
なお、図２には、説明の便宜上１つのフローチャートで示したが、フローチャートに示すプログラムのうち、電子カメラ２のＣＰＵ３１で実行されるプログラムはメモリ３２に記憶されており、コンピュータ１のＣＰＵ１１で実行されるプログラムはハードディスク１４に記憶されている。なお、図２のフローチャートに示すプログラムは、予め、メモリ３２、ハードディスク１４に記憶された状態で使用者に供給されてもよいし、メモリ３２、ハードディスク１４にコピー可能なようにＣＤ−ＲＯＭ（Compact Disc-ROM）などに記憶された状態で使用者に供給されてもよい。
【００４２】
ステップＳ１において、電子カメラ２のＣＰＵ３１は、ＳＣＳＩインタフェース４２を介してコンピュータ１に接続されているか否かを判断し、ＳＣＳＩインタフェース４２を介してコンピュータ１に接続されていない場合、即ち、シリアルインタフェース４３を介してコンピュータ１に接続されている場合、ステップＳ２において、ＣＰＵ３１は、画素数が６４０×４８０である所定の画像のＪＰＥＧデータを、ＪＰＥＧエンコーダおよびデコーダ４１でデコードさせる。
【００４３】
そして、ステップＳ３において、ＣＰＵ３１は、デコードされた６４０×４８０画素の画像データの所定の画素を間引いて、６４分の１の画素数（８０×６０）の縮小画像の画像データを生成する。なお、この場合、ＪＰＥＧ方式で圧縮しやすいように、水平方向の画素数が、８の倍数である８０に設定される。
【００４４】
さらに、ステップＳ３１において、ＣＰＵ３１は、８０×６０画素の画像データに、４ライン分のダミーデータを付加し、８０×６４画素の画像データを生成する。このように、ダミーデータは、垂直方向の画素数を８の倍数にするために付加される。付加するダミーデータとして、圧縮、再生の際に前４ラインに悪影響を与えることの少ない以下のデータのいずれかが用いられる。
・Ｒ＝１２８，Ｇ＝１２８，Ｂ＝１２８である中間グレーデータ
・前４ラインの平均値データ
・前４ラインのコピーデータ
【００４５】
次に、ステップＳ４において、ＣＰＵ３１は、ＪＰＥＧエンコーダおよびデコーダ４１に、縮小画像の画像データに４ライン分のダミーデータを付加した８０×６４画素の画像データをＪＰＥＧ方式で圧縮させ、圧縮したＪＰＥＧデータを、ステップＳ５において、シリアルインタフェース４３を介してコンピュータ１に出力する。
【００４６】
そして、コンピュータ１のＣＰＵ１１は、そのＪＰＥＧデータを、シリアルインタフェース１９を介して受信し、ステップＳ６において、そのＪＰＥＧデータをデコードして、画素数が８０×６０である縮小画像のデータを再生する。この際、最後の４ライン分はダミーデータであるので再生処理は６０ライン分で終了させる。
【００４７】
次に、ステップＳ７において、コンピュータ１のＣＰＵ１１は、画素数が８０×６０である縮小画像に対して補間処理を行い、１０６×８０画素の画像（サムネイル画像）を生成し、ステップＳ８において、そのサムネイル画像の画像データをＶＲＡＭ１３に出力して、ディスプレイ３に表示させる。
【００４８】
一方、電子カメラ２のＣＰＵ３１は、ＳＣＳＩインタフェース４２を介してコンピュータ１に接続されている場合、ステップＳ９において、ＣＰＵ３１は、画素数が６４０×４８０である所定の画像のＪＰＥＧデータを、ＳＣＳＩインタフェース４２を介してコンピュータ１に出力する。
【００４９】
そして、コンピュータ１のＣＰＵ１１は、そのデータを、ＳＣＳＩインタフェース１８を介して受信し、ステップＳ１０において、そのデータを１／４デコードして、画素数が１６０×１２０である画像データを再生する。なお、１／４デコードは、６４０×４８０画素分のＪＰＥＧデータを、１６０×１２０画素の画像データに再生するものである。
【００５０】
次に、ステップＳ１１において、コンピュータ１のＣＰＵ１１は、画素数が１６０×１２０である画像に対して間引き処理を行い、１０６×８０画素の画像（サムネイル画像）を生成し、ステップＳ８において、そのサムネイル画像の画像データをＶＲＡＭ１３に出力して、ディスプレイ３に表示させる。
【００５１】
以上のように、伝送に使用されるインタフェースの種類に応じて、伝送する画像データの画素数を変更する。
【００５２】
なお、上記実施の形態においては、サムネイル画像の画素数が１０６×８０となっているが、特に、この画素数に限定されるものではない。
【００５３】
また、上記実施の形態においては、縮小後の画像データの画素数が８０×６０となっているが、縮小後の画像の各辺のうちの少なくとも一方の画素数が８の倍数であれば、他の画素数でもよい。
【００５４】
さらに、上記実施の形態では、電子カメラ２のＣＰＵ３１で実行されるプログラムはメモリ３２に記憶させ、コンピュータ１のＣＰＵ１１で実行されるプログラムはハードディスク１４に記憶させた。しかし、電子カメラ２のＣＰＵ３１で実行される制御をコンピュータ１のＣＰＵ１１が実行可能であれば、図２に示したフローチャートのプログラムをコンピュータ１のハードディスク１４に記憶させ、ＣＰＵ１１で実行するようにしてもよい。逆に電子カメラ２のメモリ３２に記憶させ、ＣＰＵ３１で実行するようにしてもよい。
【図面の簡単な説明】
【００５５】
【図１】本発明の情報処理システムの実施の形態の構成を示すブロック図である。
【図２】電子カメラ２に保存されている画像の縮小画像をディスプレイ３に表示させるときの動作を説明するフローチャートである。
【符号の説明】
【００５６】
１  コンピュータ
２  電子カメラ
３  ディスプレイ
１１  ＣＰＵ
１２  メモリ
１３  ＶＲＡＭ
１４  ハードディスク
１８  ＳＣＳＩインタフェース
１９  シリアルインタフェース
３１  ＣＰＵ
３２  メモリ
４１  ＪＰＥＧエンコーダおよびデコーダ
４２  ＳＣＳＩインタフェース
４３  シリアルインタフェース
【図１】
2007195205.tif 000003
【図２】
2007195205.tif 000004